(57)【要約】  放射熱線を利用して毛髪などの乾燥を行うドライヤーにおいて、リフレクタの反射効率を低減させることなく、リフレクタ内から排熱する。  リフレクタ（１０）の後端部のみに吸込流路（７０）を形成し、リフレクタの前端部のみに送出流路（７１）を形成する。これにより、リフレクタの全体に亘って多数個の吸込流路や送出流路を形成する構成に比べてリフレクタの反射面積を大きくできるので、反射効率を向上できる。また、上流側に位置するリフレクタの吸込流路の形成領域における乾燥風流路（５２）の流路内圧力よりも、下流側に位置するリフレクタの送出流路の形成領域における乾燥風流路の流路内圧力が小さくなるように設定する。これによりベンチュリー効果を利用して、吸込流路からリフレクタの内部を通って送出流路を介して乾燥風流路に至る空気の流れを作ることができるので、リフレクタ内の熱を効率的に排出できる。
2019155574.tif 000002
【特許請求の範囲】
【請求項１】
後方側の吸込口（８）から前方側の吹出口（９）に至る中空筒状の風導部（７）を有する本体ケース（１）と、  風導部（７）内に設けられて、吸込口（８）から吹出口（９）に向う空気流を発生させる送風ファン（３）と、  風導部（７）内の送風ファン（３）の前方側に配置されて、赤外線を含む放射熱線を放射する熱線性光源（４）と、  風導部（７）内の熱線性光源（４）の前方側に配置されて、熱線性光源（４）が放出する放射熱線を前方に向って反射案内するリフレクタ（１０）と、  風導部（７）内のリフレクタ（１０）の前方側に配置されて、リフレクタ（１０）の前端から放射される光のうち放射熱線を透過させて可視光を減衰させる光学フィルター（１１）と、  リフレクタ（１０）の外周と本体ケース（１）の内面との間に形成された乾燥風流路（５２）と、  リフレクタ（１０）内の熱を外部へ排出するための排熱構造と、  を備え、  排熱構造は、リフレクタ（１０）の後端部のみに形成されて、送風ファン（３）により発生された空気流の一部をリフレクタ（１０）の内部に受け入れる吸込流路（７０）と、リフレクタ（１０）の前端部のみに形成されて、当該リフレクタ（１０）内の空気を乾燥風流路（５２）に向って送り出す送出流路（７１）とで構成されており、  吸込流路（７０）の形成領域における乾燥風流路（５２）の流路内圧力よりも、送出流路（７１）の形成領域における乾燥風流路（５２）の流路内圧力が小さくなるように構成されていることを特徴とするドライヤー。
【請求項２】
光学フィルター（１１）の後端とリフレクタ（１０）の後端とで規定される前後方向のリフレクタ（１０）の長さをｄ１と規定し、光学フィルター（１１）の後端と送出流路（７１）の後端側の開口縁とで規定される距離をｄ２と規定したとき、  ｄ２≦ｄ１／５の関係式を満たす位置に送出流路（７１）が形成されている、請求項１記載のドライヤー。
【請求項３】
前後方向における送出流路（７１）の開口長さ寸法（ｗ１）が５ｍｍ以下に設定されている、請求項２記載のドライヤー。
【請求項４】
光学フィルター（１１）の後端とリフレクタ（１０）の前端との間に、送出流路（７１）となる間隙（Ｅ）が形成されている、請求項１乃至３のいずれかひとつに記載のドライヤー。
【請求項５】
リフレクタ（１０）が、前方側の前リフレクタ（８０）と、後方側の後リフレクタ（８１）とで構成されており、  前後のリフレクタ（８０・８１）の間に、送出流路（７１）となる間隙（Ｅ）が形成されている、請求項１乃至３のいずれかひとつに記載のドライヤー。
【請求項６】
送出流路（７１）が、リフレクタ（１０）の前方開口縁に沿うように、当該リフレクタ（１０）を構成する周壁の全周に亘って開設された周回状のスリット開口（８４）として形成されている、請求項１乃至３のいずれかひとつに記載のドライヤー。
【請求項７】
送出流路（７１）が、リフレクタ（１０）の前方開口縁に沿うように、当該リフレクタ（１０）を構成する周壁の全周に亘って列設された多数個の貫通孔（８６）の一群で構成されている、請求項１乃至３のいずれかひとつに記載のドライヤー。
【発明の詳細な説明】
【技術分野】
【０００１】  本発明は、赤外線などの放射熱線を利用して毛髪などの乾燥を行うドライヤーに関する。
【背景技術】
【０００２】  ドライヤーの分野において、乾燥風の加熱用の熱源としてハロゲンランプなどの熱線性光源を使用することは公知である。また、熱線性光源を熱源とするドライヤーにおいて、当該光源の周りに、集光用のリフレクタを設けることも公知である。特許文献１に記載のドライヤーは、ハンドル６を有するハウジング２の内部に、下流側から順に、空気送風機ユニット８、エアーヒーター１０、ハロゲンランプ２２、及びリフレクタ２０が設けられている。リフレクタ２０は、前方開口を有する凹面反射部と、その中央に連続して一体に設けられた円筒状のランプ取付部とで構成され、ランプ取付部に固定されたハロゲンランプ２２から放出された光を凹面反射部により前方に指向させる。リフレクタ２０の前方開口には、透光性を有するカバープレート２４が装着されている。【０００３】  特許文献１の図３には、リフレクタ３２０の凹面部分に多数個の流路３２１が開設されるととともに、カバープレート３２４に多数個の流路３２５が開設されたドライヤーが開示されている。流路３２１は、後方寄りの基端部から前方寄りの先端部に至って、リフレクタ３２０の全面に開設されている。流路３２５はカバープレート３２４の全面に開設されている。このようにリフレクタ３２０とカバープレート３２４のそれぞれに多数個の流路３２１・３２５が開設されていると、下流側の流路３２１からリフレクタ３２０内を通って流路３２５を介して前方に至る空気流を形成することができるので、リフレクタ３２０内の空気を排出することができる。【０００４】  リフレクタに流路を形成することは特許文献２のドライヤーにも開示されている。特許文献２に記載のドライヤーの反射体１３（リフレクタ）は、凹面状の第１反射部１３１と、円筒状の第２反射部１３２とで構成されており、第２反射部１３２には、反射体１３の内部と外部との間で空気を流入、或いは流出させるための多数個の貫通孔１３３が設けられている。第１反射部１３１には開口部ｓが設けられており、この開口部ｓに熱線性光源１１が組み付けられている。反射体１３の前方には、熱線性光源１１から放出された光のうち熱線性の赤外線のみを透過させるフィルタ１５が配置されている。ファン１９の回転により、第１反射部１３１の開口部ｓから反射体１３の内部に送り込まれた空気は、第２反射部１３２の貫通穴１３３から反射体１３の外部に流出され、反射体１３の外周と筐体１７との間の通気空間を流れる空気とともに、ノズル１７３から排出される。
【先行技術文献】
【特許文献】
【０００５】
【特許文献１】独国特許出願公開第２９５０００１号明細書
【特許文献２】国際公開第２０１６／０７２０３１号
【発明の概要】
【発明が解決しようとする課題】
【０００６】  本発明者等は、より強力な赤外線を毛髪に照射できるドライヤーの開発に携わっている。すなわち、ハロゲンランプなどの熱線性光源を利用したドライヤーでは、ファンにより吹き出される空気を熱線性光源により加熱し、加熱された温風により毛髪を乾燥させる対流加熱方式と、熱線性光源から照射される赤外線などの放射熱線により毛髪を加熱して乾燥させる輻射加熱方式の２つの乾燥方法が採られているが、本発明者等は、後者の輻射加熱方式による乾燥能力の向上を図るべく、より強力な赤外線を毛髪に照射できるドライヤーの開発に携わっている。【０００７】  しかし、特許文献１、２のように、リフレクタに多数個の貫通穴が形成されている構成では、貫通穴を設けた分だけリフレクタの反射領域が小さくなり、放射熱線である赤外線の反射効率が低下するため、赤外線を毛髪に効率的に照射することができず、輻射加熱方式に由来するドライヤーの乾燥力の向上を図ることができない。上記の問題は、例えばリフレクタに設ける貫通穴の個数を減らすことで解消できるが、その場合にはリフレクタの内部空気の排気効率が低下してリフレクタの内部温度が上昇し、リフレクタの変形やフィルタの損壊といった不具合を招来するおそれがある。【０００８】  本発明は、以上のような従来の赤外線を利用したドライヤーの抱える問題を解決するためになされたものであり、リフレクタの反射効率を低減させることなく、しかもリフレクタ内から確実に排熱できるドライヤーを提供することを目的とする。
【課題を解決するための手段】
【０００９】  本発明に係るドライヤーは、後方側の吸込口８から前方側の吹出口９に至る中空筒状の風導部７を有する本体ケース１と、風導部７内に設けられて、吸込口８から吹出口９に向う空気流を発生させる送風ファン３と、風導部７内の送風ファン３の前方側に配置されて、赤外線を含む放射熱線を放射する熱線性光源４と、風導部７内の熱線性光源４の前方側に配置されて、熱線性光源４が放出する放射熱線を前方に向って反射案内するリフレクタ１０と、風導部７内のリフレクタ１０の前方側に配置されて、リフレクタ１０の前端から放射される光のうち放射熱線を透過させて可視光を減衰させる光学フィルター１１と、リフレクタ１０の外周と本体ケース１の内面との間に形成された乾燥風流路５２と、リフレクタ１０内の熱を外部へ排出するための排熱構造とを備える。排熱構造は、リフレクタ１０の後端部のみに形成されて、送風ファン３により発生された空気流の一部をリフレクタ１０の内部に受け入れる吸込流路７０と、リフレクタ１０の前端部のみに形成されて、当該リフレクタ１０内の空気を乾燥風流路５２に向って送り出す送出流路７１とで構成されている。そして、吸込流路７０の形成領域における乾燥風流路５２の流路内圧力よりも、送出流路７１の形成領域における乾燥風流路５２の流路内圧力が小さくなるように構成されていることを特徴とする。【００１０】  光学フィルター１１の後端とリフレクタ１０の後端とで規定される前後方向のリフレクタ１０の長さをｄ１と規定し、光学フィルター１１の後端と送出流路７１の後端側の開口縁とで規定される距離をｄ２と規定したとき、ｄ２≦ｄ１／５の関係式を満たす位置に送出流路７１が形成されている。【００１１】  前後方向における送出流路７１の開口長さ寸法ｗ１が５ｍｍ以下に設定されている。【００１２】  光学フィルター１１の後端とリフレクタ１０の前端との間に、送出流路７１となる間隙Ｅが形成されている構成を採ることができる。【００１３】  リフレクタ１０が、前方側の前リフレクタ８０と、後方側の後リフレクタ８１とで構成されており、前後のリフレクタ８０・８１の間に、送出流路７１となる間隙Ｅが形成されている構成を採ることができる。【００１４】  送出流路７１は、リフレクタ１０の前方開口縁に沿うように、当該リフレクタ１０を構成する周壁の全周に亘って開設された周回状のスリット開口８４とすることができる。【００１５】  送出流路７１は、リフレクタ１０の前方開口縁に沿うように、当該リフレクタ１０を構成する周壁の全周に亘って列設された多数個の貫通孔８６の一群で構成することができる。
【発明の効果】
【００１６】  送風ファン３が回転されると、本体ケース１の風導部７内には吸込口８から吸込まれて乾燥風流路５２を通って吹出口９に至るように乾燥風が流れる。このとき本発明のドライヤーにおいては、上流側に位置するリフレクタ１０の吸込流路７０の形成領域における乾燥風流路５２の流路内圧力よりも、下流側に位置するリフレクタ１０の送出流路７１の形成領域における乾燥風流路５２の流路内圧力が小さくなるように設定したので、送出流路７１の形成領域における乾燥風の流速を、吸込流路７０の形成領域における乾燥風の流速よりも増加させることができる。このように送出流路７１の形成領域における乾燥風の流速を増加させると、ベンチュリー効果によりリフレクタ１０の内部空気は送出流路７１を介して乾燥風流路５２に吸込まれるため、当該内部空気を乾燥風流路５２に向って確実に送り出すことができる（図６参照）。加えて、リフレクタ１０の内部空気が送出されると、リフレクタ１０内の圧力と吸込流路７０の形成領域における乾燥風流路５２の流路内圧力との圧力差により、吸込流路７０を介して乾燥風流路５２からリフレクタ１０の内部に本体ケース１の吸込口８から吸込まれた乾燥風が吸込まれる（図６参照）。このように本発明によれば、ベンチュリー効果を利用して、吸込流路７０からリフレクタ１０の内部を通って送出流路７１を介して乾燥風流路５２に至る空気の流れを作ることができるので、熱線性光源４によりリフレクタ１０内の空気が加熱された場合でも、該空気をリフレクタ１０の外部に送出するとともに、新たな空気をリフレクタ１０の内部に送り込んで、リフレクタ１０内の熱を効率的に排出して、リフレクタ１０の内部が過熱状態に陥ることを防ぐことができる。以上より本発明によれば、熱線性光源４による加熱によりリフレクタ１０が変形したり、光学フィルター１１が破損したりすることを確実に防ぐことができるので、耐久性に優れたドライヤーを得ることができる。【００１７】  リフレクタ１０の後端部のみに吸込流路７０を形成し、リフレクタ１０の前端部のみに送出流路７１を形成したので、リフレクタ１０の全体に亘って多数個の吸込流路や送出流路を形成する従来構成に比べてリフレクタ１０の反射面積を大きくして、リフレクタ１０による反射効率や集光効率の向上を図ることができる。従って本発明に係るドライヤーによれば、より強力な赤外線などの放射熱線を毛髪等に照射させることができるので、輻射加熱方式による乾燥能力に優れたドライヤーを得ることができる。【００１８】  以上より、本発明のドライヤーによれば、リフレクタ１０の反射効率の向上と、リフレクタ１０の確実な排熱という相反する課題を同時に解決することができる。また、送出流路７１から送出された空気が乾燥風流路５２を流れる乾燥風と混合することで、乾燥風の温度を高めることができるので、輻射加熱方式だけでなく、対流加熱方式による乾燥能力の向上を図ることができ、髪の加熱や乾燥などをより短時間で効果的に行うことができる。【００１９】  光学フィルター１１の後端とリフレクタ１０の後端とで規定される前後方向のリフレクタ１０の長さをｄ１と規定し、光学フィルター１１の後端縁と送出流路７１の後端側の開口縁とで規定さ���る距離をｄ２と規定したとき、ｄ２≦ｄ１／５の関係式を満たす位置に送出流路７１を形成することが望ましい。すなわち、本発明における送出流路７１が形成される「リフレクタ１０の前端部」とは、光学フィルター１１の後端を始点として、送出流路７１の後端側の開口縁が、リフレクタ１０の前後方向の長さの５分の１以内に存在する位置とする。これは、送出流路７１がリフレクタ１０の前後方向の５分の１よりも後方側に配置されていると、リフレクタ１０の前端側に空気が滞留して、空気流による排熱が行われないデッドスペースが生じるおそれがあること、および送出流路７１が後方側に配置されていると、熱線性光源４と送出流路７１との距離が近くなり、熱線性光源４から放出される放射熱線が直接的に送出流路７１を介してリフレクタ１０から漏出して、リフレクタ１０による反射効率や集光率が低下することに拠る（図７Ｂ参照）。これに対して、送出流路７１がリフレクタ１０の前後方向の５分の１よりも前方側に配置されていると、リフレクタ１０内に空気が滞留するおそれは少なく、リフレクタ１０内の熱を効率的に排出することができる。熱線性光源４と送出流路７１との距離を大きく採ることができるので、熱線性光源４から放出される放射熱線が直接的に送出流路７１を介してリフレクタ１０から漏出することを少なくして、リフレクタ１０による反射効率や集光率の向上を図ることができる（図７Ａ参照）。なお、本発明者等の知見によれば、排熱効率の向上やリフレクタ１０の反射効率の向上を図るうえでは、ｄ２≦ｄ１／１０の関係式を満たす位置に送出流路を形成すること、すなわち、光学フィルター１１の後端を始点として、送出流路７１の後端側の開口縁が、リフレクタ１０の前後方向の長さの１０分の１以内に存在することがより望ましい。【００２０】  前後方向における送出流路７１の開口長さ寸法ｗ１は５ｍｍ以下に設定することが望ましい。これは、送出流路７１の開口長さ寸法ｗ１が５ｍｍを超えると、開口が大きくなりすぎるため、ベンチュリー効果が良好に発揮されず、送出流路７１を介してリフレクタ１０の内部から乾燥風流路５２に送出される空気量が減少すること、およびリフレクタ１０による反射効率や集光率の低下を招くことに拠る。【００２１】  送出流路７１の具体的形態としては、光学フィルター１１の後端とリフレクタ１０の前端との間に、送出流路７１となる間隙Ｅが形成されているもの（図２参照）、リフレクタ１０が、前方側の前リフレクタ８０と、後方側の後リフレクタ８１とで構成されており、前後のリフレクタ８０・８１の間に、送出流路７１となる間隙Ｅが形成されているもの（図８参照）、送出流路７１が、リフレクタ１０の前方開口縁に沿うように、当該リフレクタ１０を構成する周壁の全周に亘って開設された周回状のスリット開口８４として形成されているもの（図１０参照）、送出流路７１が、リフレクタ１０の前方開口縁に沿うように、当該リフレクタ１０を構成する周壁の全周に亘って列設された多数個の貫通孔８６の一群で構成されているもの（図１２参照）などを挙げることができる。これらのように、送出流路７１はリフレクタ１０の前端部の一箇所のみに、リフレクタ１０の開口縁に沿って全周状に形成することが望ましい。これらのうち、光学フィルター１１の後端とリフレクタ１０の前端との間に送出流路７１となる間隙Ｅを形成した場合には、リフレクタ１０を二分割したり、リフレクタ１０に貫通孔を設けたりする必要がないため、送出流路７１を備えるドライヤーのコスト上昇を抑えることができる。また、送出流路７１を周回状のスリット開口８４として形成した場合、或いは多数個の貫通孔８６の一群で構成した場合には、光学フィルター１１の後端とリフレクタ１０の前端との間に間隙Ｅを形成する場合に比べて、光学フィルター１１の前端からリフレクタ１０の後端までで規定されるリフレクタ１０の前後の長さ寸法を、間隙Ｅを廃した分だけ小さくすることができるので、ドライヤーのコンパクト化に貢献できる。
【図面の簡単な説明】
【００２２】
【図１】本発明の実施例１に係るドライヤー（ヘアードライヤー）の縦断側面図である。
【図２】図１のＡ−Ａ線断面図（横断平面図）である。
【図３】実施例１に係るヘアードライヤーの送出流路を示す拡大断面図である。
【図４】図２のＢ−Ｂ線断面図（縦断正面図）である。
【図５】実施例１に係るヘアードライヤーのリフレクタに対するハロゲンランプの組み付け構造を説明するための斜視図である。
【図６】本発明のドライヤーにおけるベンチュリー効果による空気の流れを説明するための図である。
【図７Ａ】送出流路の位置とリフレクタからの放射熱線の漏出量との関係を説明するための概念図であり、送出流路がリフレクタの前方に位置する場合を示している。
【図７Ｂ】送出流路の位置とリフレクタからの放射熱線の漏出量との関係を説明するための概念図であり、送出流路がリフレクタの後方寄りに位置する場合を示している。
【図８】本発明の実施例２に係るヘアードライヤーの要部の横断平面図である。
【図９】実施例２に係るヘアードライヤーを構成するリフレクタの斜視図である。
【図１０】本発明の実施例３に係るヘアードライヤーの要部の横断平面図である。
【図１１】実施例３に係るヘアードライヤーを構成するリフレクタの斜視図である。
【図１２】本発明の実施例４に係るヘアードライヤーの要部の横断平面図である。
【図１３】実施例４に係るヘアードライヤーを構成するリフレクタの斜視図である。
【図１４】本発明の実施例５に係るヘアードライヤーの要部の横断平面図である。
【発明を実施するための形態】
【００２３】（実施例１）  図１から図７に、本発明のドライヤーをヘアードライヤーに適用した実施例１を示す。本実施例における前後、左右、上下とは、図１、図２、および図５に示す交差矢印と、各矢印の近傍に表記した前後、左右、上下の表示に従う。図１においてヘアードライヤーは、グリップを兼ねる前後に長い本体ケース１の内部に、ファンモータ２で回転駆動される軸流型の送風ファン３と、赤外光と可視光とを放射する熱線性光源としてのハロゲンランプ（熱線性光源）４などを収容して構成される。本体ケース１は、樋状に形成される上下一対の半割体５・６を接合して形成されており、その内部に円筒状の風導部７が形成されている。風導部７の後端に空気の吸込口８が形成され、前端に空気の吹出口９が形成されている。
【００２４】  送風ファン３は本体ケース１内の風導部７内の後半部に配置されており、吸込口８から吸い込んだ空気を加圧して吹出口９へ向かって送給する。ハロゲンランプ４は本体ケース１の風導部７内の前半部に配置されており、その周囲にハロゲンランプ４から放射された光を吹出口９の側へ向かって反射案内するリフレクタ１０が固定されている。リフレクタ１０と吹出口９の間の光放射経路には光学フィルター１１が配置されている。吹出口９は、乾燥風の吹出口と、ハロゲンランプ４から放射される赤外線（熱線）をユーザーの毛髪へ向けて照射する照射口を兼ねている。
【００２５】  本体ケース１の周面の大部分は、人体の接触を検知するタッチセンサ１２で覆われており、タッチセンサ１２の上部に形成した操作部に臨んで、電源スイッチ１４の操作ノブ１５が配置されている。操作ノブ１５を本体ケース１の表面に沿って前後にスライド操作すると、電源スイッチ１４をオン状態とオフ状態に切換えることができる。電源スイッチ１４は、本体ケース１の上部に形成された収容凹部１７に収容されており、本体ケース１の下部に形成した収容凹部１８には、ファンモータ２やハロゲンランプ４の駆動状態を制御する制御基板１９が収容されている。
【００２６】  本体ケース１の吸込口８には吸込グリル２２が装着されており、吸込グリル２２の中央には、給電プラグ２４を着脱可能に接続するためのソケット２５が設けられている。本体ケース１の吹出口９には、アルミニウムなどの金属材からなる吹出グリル２３が装着されている。吹出グリル２３は、円筒状の外筒体２６と、外筒体２６よりも小径の内筒体２７と、両筒体２６・２７を放射状に繋ぐ複数個の整流翼２８などを一体に備えている。
【００２７】  ファンモータ２と送風ファン３はファンケース２９で支持されている。ファンケース２９は、送風ファン３の周囲を囲む円筒状の外筒体３０と、ファンモータ２の後端部が装着されるホルダ部３１と、ホルダ部３１の周囲を囲む円筒状の内筒体３２と、外筒体３０と内筒体３２を放射状に繋ぐ複数個の整流翼３３などを一体に備えている。外筒体３０の前端にはフランジ３４が外向きに張り出し形成されており、フランジ３４を半割体５・６の内面に形成した係合溝３５で係合保持することにより、ファンケース２９が本体ケース１に固定されている。
【００２８】  図２及び図５に示すように、ハロゲンランプ４は、前方側のバルブ３８と、後方側のソケット３９とを前後に接続して構成される。バルブ３８は、中空容器状に形成された石英ガラス製のグローブ４０と、グローブ４０の後方に形成された給電用のプラグ４１とで構成され、グローブ４０の内部に、発光体となるフィラメントのほか、不活性ガス、ハロゲンガスなどが封入される。グローブ４０は、球殻状のグローブ本体４２と、グローブ本体４２の前端に形成された排気管残部４３と、グローブ本体４２の後方に形成されたホルダ部４４とを一体に有しており、その後部にプラグ４１が装着されている。ホルダ部４４は前方に向って拡開する半球殻状に形成されており、その外形寸法はグローブ本体４２の外形寸法よりも小さく設定されている。プラグ４１は、左右の厚み寸法の小さな扁平角柱状に形成されている。ソケット３９は、プラグ４１を受け入れる縦長の開口からなるソケット穴４５を有するコネクタ４６と、コネクタ４６の後方に設けられたハウジング４７とで構成される。コネクタ４６の前端面は、バルブ３８のホルダ部４４の外形形状と略一致する凹湾曲状に形成されており、バルブ３８のプラグ４１をソケット穴４５に挿入したとき、ホルダ部４４の凸弧面がコネクタ４６の前端面で受け止められる。
【００２９】  バルブ３８の周囲には集光用のリフレクタ１０が配置されている。リフレクタ１０は、アルミニウムなどの金属を素材として、吹出口９に向かって開口する丸底円筒状に形成されており、その内面に赤外光と可視光とを反射する反射面が形成されている。図２において、符号５０はリフレクタ１０の後端に形成されて、前方に向って拡開する半球殻状の円錐部を、符号５１は円錐部の前端縁に連続して前方に向って伸びる、径寸法が均一なストレート状の直筒部を示す。リフレクタ１０の外径寸法は、本体ケース１の内径寸法よりも小さく設定されており、リフレクタ１０の外周と本体ケース１の内面との間には、吹出口９に至る乾燥風流路５２が形成されている。送風ファン３により吸込口８から風導部７内に吸込まれた空気の大部分は、リフレクタ１０の円錐部５０に沿って乾燥風流路５２に流れたのち、吹出口９から送出される。
【００３０】  リフレクタ１０の後部中央、即ち円錐部５０の突端には、バルブ３８をリフレクタ１０の内部に臨ませるための挿通孔５３が形成されている。図４及び図５に示すように、挿通孔５３は、円錐部５０の突端の中央に形成された丸孔状の第１挿通孔５４と、第１挿通孔５４を貫通するように上下方向に長く形成された長孔状の第２挿通孔５５とからなる正面視で鍵穴状に形成されている。ソケット３９のコネクタ４６を挿通孔５３の周囲に臨ませたのち、バルブ３８のホルダ部４４とプラグ４１とを挿通孔５３に挿通させて、プラグ４１をコネクタ４６のソケット穴４５に差し込む。これにより、前方側のバルブ３８と後方側のソケット３９とをリフレクタ１０の挿通孔５３を介して連結することができる。このとき、ホルダ部４４の外周面と第１挿通孔５４の内周面との間、およびソケット３９のコネクタ４６と第２挿通孔５５の内周面との間には、僅かな隙間が形成される。この隙間は、後述する排熱構造の吸込流路７０となる。
【００３１】  風導部７の内部には、送風ファン３が生成する風を整流するとともに、リフレクタ１０、ハロゲンランプ４などを支持する支持枠５７が配置されている。支持枠５７は、水平姿勢と縦姿勢に配設された一対のマイカ板５８・５８を十字状に組んで構成される。マイカ板５８・５８の後端部はファンケース２９の前端部に形成されたスリット５９に係合されており、これにより本体ケース１に対する支持枠５７の回転が規制されている。図１乃至図４に示すように、リフレクタ１０の前縁（開口周縁）の外周面の上下左右の４箇所には係合凹部６０を有する一対のリブ６１・６１が外向きに張り出し形成されており、これら係合凹部６０にマイカ板５８・５８を係合させることにより、リフレクタ１０は四方（上下左右）から支持されている。図５に示すように、ハロゲンランプ４のソケット３９の上下面には係合溝６２が形成されており、これら係合溝６２にマイカ板５８を係合させることにより、ソケット３９は上下方向から支持されている。本体ケース１の前端部の内面には、浅い装着溝６３が周回状に凹み形成されており、この装着溝６３に吹出グリル２３の外筒体２６が嵌まり込むことにより、吹出グリル２３の本体ケース１に対する前後方向（軸方向）と径方向のズレ動きが規制されている。
【００３２】  光学フィルター１１は、赤外線を透過させて可視光を遮蔽することを目的としてリフレクタ１０と吹出口９の間の光放射経路に配置されている。このように光学フィルター１１を光放射経路に配置することにより、ヘアードライヤーの使用時に、可視光がドライヤーの吹出口９から照射されるのを防止して、髪乾燥時等にユーザーの目に眩しい光が入るのを解消できる。これにより、ユーザーは眩しさを感じることなく、整髪作業を円滑に行うことができる。光学フィルター１１は、熱膨張係数が小さな黒色結晶化ガラスなどの低膨張性ガラスを素材とする円板状のガラス体であり、内筒体２７に内嵌状に装着されている。
【００３３】  熱線性光源であるハロゲンランプ４を備えるヘアードライヤーにおいては、ハロゲンランプ４から放出される赤外線によりリフレクタ１０が加熱される。また、ハロゲンランプ４からの発熱がリフレクタ１０内部に蓄積され、リフレクタ１０内部の温度が上昇する。このため、リフレクタ１０の内部の熱を排出するための排熱構造が必要となる。本実施例に係るヘアードライヤーの排熱構造は、リフレクタ１０の後端部のみに形成されて、送風ファン３により発生された空気流の一部をリフレクタ１０の内部に受け入れる吸込流路７０と、リフレクタ１０の前端部のみに形成されて、リフレクタ１０内の空気を乾燥風流路５２に向って送り出す送出流路７１とで構成される。
【００３４】  より詳しくは、図２に示すように、ハロゲンランプ４を構成するバルブ３８とリフレクタ１０の後端に形成された挿通孔５３との間には僅かな隙間が形成されており、この隙間が送風ファン３により発生された空気流の一部をリフレクタ１０の内部に受け入れる吸込流路７０とされている。一方、光学フィルター１１の後端とリフレクタ１０の前端とは接触しておらず、両者は僅かな間隙Ｅ（本実施形態では２ｍｍ（ｗ１＝２ｍｍ））を挟んで近接配置されており、この間隙Ｅがリフレクタ１０内の空気を乾燥風流路５２に向って送り出す送出流路７１とされている。本体ケース１の内径寸法と直筒部５１の外径寸法との差分により得られるリフレクタ１０の前端部における乾燥風流路５２（以下「下流側流路７２」と記す。）の流路断面積は、リフレクタ１０の後端部における乾燥風流路５２（以下「上流側流路７３」と記す）の流路断面積よりも小さく設定されており、換言すれば、送出流路７１の形成領域における下流側流路７２の流路断面積は、吸込流路７０の形成領域における上流側流路７３の流路断面積よりも小さく設定されている。このため、上流側流路７３の流路内圧力よりも下流側流路７２の流路内圧力を小さくして、下流側流路７２に流れる乾燥風の流速を、上流側流路７３を流れる乾燥風の流速よりも増加させることができるようになっている。
【００３５】  図６の概念図に示すように、上記のように下流側流路７２における乾燥風の流速を増加させると、ベンチュリー効果によりリフレクタ１０の内部空気を、送出流路７１を介して乾燥風流路５２に吸込ませることができる。従って、リフレクタ１０の内部空気を乾燥風流路５２（下流側流路７２）に向って確実に送り出して、リフレクタ１０内の熱を排出することができる。加えて、このように送出流路７１を介してリフレクタ１０の内部空気が送出されると、リフレクタ１０内の圧力と上流側流路７３の流路内圧力との圧力差により、吸込流路７０を介して乾燥風流路（上流側流路７３）からリフレクタ１０の内部に乾燥風を吸込ませることができる。
【００３６】  このように、本実施例に係るヘアードライヤーによれば、ベンチュリー効果を利用して、吸込流路７０からリフレクタ１０の内部を通って送出流路７１を介して乾燥風流路５２に至る空気の流れを形成することができるので（図６参照）、ハロゲンランプ４からの放熱によりリフレクタ１０内の空気が加熱された場合でも、当該空気を送出流路７１を介してリフレクタ１０の外部に送出するとともに、吸込流路７０を介して新たな空気をリフレクタ１０内に送り込んで排熱することができる。以上より、本実施例に係るヘアードライヤーによれば、リフレクタ１０内を効率的に排熱して、リフレクタ１０の内部が過熱状態に陥ることを確実に防ぐことができる。
【００３７】  上記のように実施例１に係るヘアードライヤーにおいては、光学フィルター１１の後端とリフレクタ１０の前端との間に間隙Ｅを形成して、この間隙Ｅを送出流路７１としており、リフレクタ１０の最前端に内部空気を送出するための送出流路７１を形成している。従って、実施例１に係るヘアードライヤーによれば、リフレクタ１０内に空気が滞留するデッドスペースが形成されることはなく、リフレクタ１０内の空気を満遍なく排出することができるので、リフレクタ１０内の熱を確実、且つ効率的に送出流路７１を介して乾燥風流路５２に排出することができる。また、このようにリフレクタ１０内の熱を効率的に乾燥風流路５２に排出することができると、乾燥風流路５２を流れる乾燥風の温度を高めて、吹出口９から前部に向って吹出される乾燥風を効率的に加熱することができるので、赤外線に由来する輻射加熱方式の乾燥能力だけでなく、加熱乾燥風に由来する対流加熱方式による乾燥能力の向上を図ることができ、髪の加熱や乾燥などをより短時間で効果的に行うことができる。尤も、輻射加熱方式に由来する乾燥能力の大幅な向上を図ったヘアードライヤーでは、対流加熱方式に由来する乾燥能力は付属的なものであってもよく、その場合には、髪や肌に乾燥風が当たったときに、冷たさや不快感を与えない程度に乾燥風が暖められていればよい。
【００３８】  加えて、図７Ａに示すようにリフレクタ１０の最先端に送出流路７１を形成すると、図７Ｂに示すようにリフレクタ１０の後部寄りに送出流路７１を形成する場合に比べて、ハロゲンランプ４（より詳しくはハロゲンランプ４のグローブ４０の中心点）と送出流路７１とで規定される方向を、前後の水平方向に近付けることができるので、ハロゲンランプ４から放出される赤外線が送出流路７１を介してリフレクタ１０の外部に漏出され難くすることができる。従って、送出流路７１を形成したことに伴って、リフレクタ１０の反射効率や集光率が低下することを確実に防ぐことができる。
【００３９】  上記のような知見から、光学フィルター１１の後端縁とリフレクタ１０の後端縁とで規定される前後方向のリフレクタ１０の長さをｄ１と規定し、光学フィルター１１の後端縁と送出流路７１の後端側の開口縁とで規定される距離をｄ２と規定したとき、ｄ２≦ｄ１／５の関係式を満たす位置に送出流路７１を形成することが望ましい（図２参照）。すなわち、排熱効率の向上や反射効率の向上といった観点からは、本実施形態のようにリフレクタ１０の最前端に送出流路７１を形成することが最適であるが、後述の実施例２〜４に示すようにリフレクタ１０の前端部に送出流路７１を形成する場合には、ｄ２≦ｄ１／５の関係式を満たす位置に送出流路７１を形成することが望ましい。これは、送出流路７１がリフレクタ１０の前後方向の５分の１よりも後方側に配置されていると、リフレクタ１０の前端側に空気が滞留して、空気流による排熱が行われないデッドスペースが生じるおそれがあること、および送出流路７１が後方側に配置されていると、ハロゲンランプ４（より詳しくはハロゲンランプ４のグローブ４０の中心点）と送出流路７１とで規定される方向が前後方向に対して直交する方向に近づくため（図７Ｂ参照）、ハロゲンランプ４から放出される赤外線が直接的に送出流路７１を介してリフレクタ１０から漏出して、リフレクタ１０による反射効率や集光率が低下することに拠る。
【００４０】  加えて、前後方向における送出流路７１の開口長さ寸法（ｗ１）は５ｍｍ以下に設定することが望ましい。これは、送出流路７１の長さ幅寸法（ｗ１）が５ｍｍを超えると、開口が大きくなりすぎるため、ベンチュリー効果が良好に発揮されず、送出流路７１を介して乾燥風流路５２に送出される空気量が減少すること、およびリフレクタ１０の反射効率や集光率が低下することに拠る。
【００４１】（実施例２）  図８及び図９に、送出流路７１の構造を変更した、本発明に係るドライヤー（ヘアードライヤー）の実施例２を示す。実施例２においては、リフレクタ１０を、前後の長さ寸法が小さな短筒状の前リフレクタ８０と、直筒部５１と円錐部５０とを有する後リフレクタ８１とに二分割して、両リフレクタ８０・８１の間に間隙Ｅを形成して、これを送出流路７１としている点が先の実施例１と相違する。前リフレクタ８０は、一対のリブ６１・６１によりマイカ板５８・５８で支持されている。前リフレクタ８０、間隙Ｅ、及び後リフレクタ８１を含むリフレクタ１０の全長をｄ１と規定し、光学フィルター１１の後端縁と送出流路７１の後端側の開口縁とで規定される距離をｄ２と規定したとき、ｄ２≦ｄ１／５の関係式を満たす位置に送出流路７１は形成されている。間隙Ｅの前後方向における長さ寸法は５ｍｍ以下に設定されている（ｗ１≦５ｍｍ）。それ以外の点は先の実施例１と同様であるので、同じ部材には同じ符号を付してその説明を省略する。以下の実施例においても同様である。
【００４２】  このように、リフレクタ１０を前リフレクタ８０と後リフレクタ８１とで構成し、両リフレクタ８０・８１を間隙Ｅを挟んで対向配置して、この間隙Ｅを送出流路７１としていると、実施例１のように光学フィルター１１の後端縁とリフレクタ１０の前端縁との間に間隙Ｅを形成する場合に比べて、リフレクタ１０の後端縁から光学フィルター１１の前端縁までの前後の長さ寸法を、間隙Ｅの分だけ小さくすることができ、ヘアードライヤーのコンパクト化に貢献できる。以下の実施例３、４においても同様である。
【００４３】（実施例３）  図１０及び図１１に、送出流路７１の構造を変更した、本発明に係るドライヤー（ヘアードライヤー）の実施例３を示す。実施例３においては、送出流路７１をリフレクタ１０の前方開口縁に沿うように、リフレクタ１０を構成する周壁の全周に亘って開設された周回状のスリット開口８４として形成している点が、先の第１実施例と相違する。リフレクタ１０の長さをｄ１と規定し、光学フィルター１１の後端縁と送出流路７１（スリット開口８４）の後端側の開口縁とで規定される距離をｄ２と規定したとき、ｄ２≦ｄ１／５の関係式を満たす位置に送出流路７１は形成されている。スリット開口８４の前後方向における長さ寸法（ｗ１）は５ｍｍ以下に設定されている。スリット開口８４は四つに等分割されており、隣り合うスリット開口８４どうしの間には、連結リブ８５が形成されている。
【００４４】（実施例４）  図１２及び図１３に、送出流路７１の構造を変更した、本発明に係るドライヤー（ヘアードライヤー）の実施例４を示す。実施例４においては、送出流路７１を、リフレクタ１０の前方開口縁に沿うように、リフレクタ１０を構成する周壁の全周に亘って列設された多数個の貫通孔８６の一群で構成している点が、先の第１実施例と相違する。リフレクタ１０の長さをｄ１と規定し、光学フィルター１１の後端縁と送出流路７１（貫通孔８６）の後端側の開口縁とで規定される距離をｄ２と規定したとき、ｄ２≦ｄ１／５の関係式を満たす位置に送出流路７１は形成されている。貫通孔８６の前後方向における長さ寸法（ｗ１）は５ｍｍ以下に設定されている。
【００４５】（実施例５）  図１４に、リフレクタ１０の構造を変更した、本発明に係るドライヤー（ヘアードライヤー）の実施例５を示す。この実施例５においては、リフレクタ１０の全体を半球殻状としている点が先の実施例１と相違する。より詳しくは、リフレクタ１０の反射部を前方向に行くに従って漸次径寸法が大きくなる、前拡がりテーパー状に形成している。リフレクタ１０の前端と光学フィルター１１の後端との間には、送出流路７１となる間隙Ｅが形成されている。
【００４６】  上記の各実施例では、熱線性光源はハロゲンランプ４以外に、白熱ランプ、キセノンランプ、メタルハライドランプなどで構成することができる。タッチセンサ１２は省略することができ、その場合には電源スイッチ１４を切換えて、送風ファン３のみを駆動する冷風モードと、送風ファン３と熱線性光源４を同時に駆動する低温弱風モードと、弱風モードより高温で風量が大きな高温強風モードに切換えることができる。本体ケース１は円筒状以外に、楕円筒状や多角形筒状などに形成することができ、必要に応じて本体ケース１の下面側に、折畳み可能なグリップが設けてあってもよい。本発明は、人用に限らず犬や猫など動物用のドライヤーにも適用することができる。
【符号の説明】
【００４７】  １  本体ケース  ３  送風ファン  ４  熱線性光源（ハロゲンランプ）  ７  風導部  １０  リフレクタ  １１  光学フィルター  ５２  乾燥風流路  ７０  吸込流路  ７１  送出流路  ８０  前リフレクタ  ８１  後リフレクタ  ８４  スリット開口  ８６  貫通孔
【図１】
2019155574.tif 000003
【図２】
2019155574.tif 000004
【図３】
2019155574.tif 000005
【図４】
2019155574.tif 000006
【図５】
2019155574.tif 000007
【図６】
2019155574.tif 000008
【図７Ａ】
2019155574.tif 000009
【図７Ｂ】
2019155574.tif 000010
【図８】
2019155574.tif 000011
【図９】
2019155574.tif 000012
【図１０】
2019155574.tif 000013
【図１１】
2019155574.tif 000014
【図１２】
2019155574.tif 000015
【図１３】
2019155574.tif 000016
【図１４】
2019155574.tif 000017
【国際調査報告】
2019155574.tif 000018
2019155574.tif 000019